(57)【特許請求の範囲】
【請求項１】
主回路接点のしゃ断部、操作ハンドルと連繋して主回路接点を開閉する開閉機構部、熱動形過負荷電流引外し装置、および前記引外し装置の機械的出力を開閉機構部のラッチ受けに伝達する温度補償バイメタルを装備した回路しゃ断器であり、前記温度補償バイメタルの組立ユニットを開閉機構部のフレームに搭載支持した上で、該フレームをしゃ断器のケース内部に固定したものにおいて、前記ケースの内部にその底面から起立して開閉機構部のフレームを左右から挟み込む片持ち梁状の支持アームを設け、該支持アームの間に開閉機構部を挿入した仮組立状態で、支持アームとケースの側壁との間の隙間に楔状のスペーサ部材を圧入して開閉機構部をケース内の定位置に挟持固定したことを特徴とする回路しゃ断器。
【請求項２】
請求項１記載の回路しゃ断器において、支持アームの先端にフック部を形成するとともに、該フック部に対向して開閉機構部のフレーム外壁面に係合突起を設けたことを特徴とする回路しゃ断器。
【請求項３】
請求項１記載の回路しゃ断器において、スペーサ部材に、組立位置で開閉機構部に搭載した温度補償バイメタル組立ユニットのホルダ部を側方から押さえて定位置に保持する撓み性のある片持ち梁部を設けたことを特徴とする回路しゃ断器。
【請求項４】
請求項１記載の回路しゃ断器において、温度補償バイメタル組立ユニットのホルダ部に二股状の圧入クリップ部を設け、該クリップ部を開閉機構部のフレームに圧入して温度補償バイメタル組立ユニットを搭載支持したことを特徴とする回路しゃ断器。
【発明の詳細な説明】
【０００１】
【発明の属する技術分野】
本発明は、電動機制御用に適用するオートブレーカなどを対象とした回路しゃ断器に関し、詳しくはその開閉機構部，およびその周辺部の組立構造に係る。
【０００２】
【従来の技術】
まず、頭記したオートブレーカを例に、本発明の実施対象となる回路しゃ断器の構成を図５〜図７に示す。図５(a),(b) において、１は上部ケース１ａ，中間ケース１ｂ，下部ケース１ｃの三分割構造になるケース（樹脂形成品）、２は下部ケース１ｃに組み込んだ主回路接点のしゃ断部、３は上部ケース１ａに装着したロータリー式操作ハンドル、４は操作ハンドル３と連動して主回路接点を開閉する開閉機構部、５は操作ハンドル３と開閉機構部４との間を伝動連結する歯車、６は過負荷電流引外し装置、７は主回路端子であり、これらは中間ケース１ｂに組付けられている。
【０００３】
ここで、開閉機構部４は図６，図７で表すように鋼板製のフレーム（組立枠）４ａにトグルリンク機構，開閉レバー４ｂ，ラッチ受け４ｃ，およびトグル歯車４ｄなどの部品を組付けた構成になり、トグル歯車４ｄが歯車５を介してロータリー式操作ハンドル３と連繋している。また、過負荷電流引外し装置６は、周知のように主回路の各相に対応する熱動素子としての主バイメタル６ａ、各相の主バイメタル６ａに跨がって相互連繋したシフタ機構６ｂからなる。そして、シフタ機構６ｂの機械的出力を前記開閉機構部４のラッチ受け４ｃに伝達して回路しゃ断器をトリップ動作するように両者間を引外しレバー兼用の温度補償バイメタルで連繋しており、その温度補償バイメタル組立ユニット８が後記のように開閉機構部４に装着されている。
【０００４】
この温度補償バイメタル組立ユニット８は、引外しレバーを兼ねた温度補償バイメタル８ａと、該バイメタルの調整ダイヤル８ｂと、これら部品を取付けた樹脂製のユニットホルダ８ｃとの組立体からなり、前記ユニットホルダ８ｃが開閉機構部４のフレーム４ａの一角に搭載支持されている。なお、温度補償バイメタルの組立構造，およびその動作については、本発明と同一出願人より先に出願した特願２０００−６８９７９号の明細書で詳しく述べられている。
【０００５】
次に、従来の回路しゃ断器における前記開閉機構部４，および温度補償バイメタル組立ユニット８の組立構造を図８に示す。すなわち、従来の回路しゃ断器では、図示のように開閉機構部４のフレーム４ａの下端側に左右に張出した一対のねじ座４ａを設け、ねじ９を用いて中間ケース１ｂの底面上の定位置に固定している。また、温度補償バイメタル組立ユニット８は、そのユニットホルダ８ｃに取付座８ｃ-1を設け、該取付座８ｃ-1を開閉機構部４のフレーム４ａの上部一角に張出し形成したねじ座４ａ-2の上に重ね合わせてねじ１０で締結固定している。なお、図８において、４ｂ-1は図６で述べた開閉レバー４ｂの支軸を表している。
【０００６】
【発明が解決しようとする課題】
ところで、前記した従来の組立構造では次記のような問題点がある。すなわち、中間ケース１ｂへの開閉機構部４の取付け，および開閉機構部４への温度補償バイメタル組立ユニット８の取付け手段にねじ９，１０を用いているが、このようなねじ止め方式では開閉機構部４から左右側方にねじ座４ａ-1，４ａ-2が張出すために、その分だけ開閉機構部４の占有スペースが増大して回路しゃ断器の小型，コンパクト化が困難となるほか、組立工程でもねじ締め操作に手間が掛かるなどの問題点がある。
【０００７】
本発明は上記の点に鑑みなされたものであり、しゃ断器の小型，コンパクト化と組立性の改善を狙いに、ねじを使わずに開閉機構部，および温度補償バイメタル組立ユニットを簡単にケース内に装着して確実に固定できるように改良した回路しゃ断器の組立構造を提供することを目的とする。
【０００８】
【課題を解決するための手段】
上記目的を達成するために、本発明によれば、主回路接点のしゃ断部、操作ハンドルと連繋して主回路接点を開閉する開閉機構部、熱動形過負荷電流引外し装置、および前記引外し装置の機械的出力を開閉機構部のラッチ受けに伝達する温度補償バイメタルを装備した回路しゃ断器であり、前記温度補償バイメタルの組立ユニットを開閉機構部のフレームに搭載支持した上で、該フレームをしゃ断器のケース内部に固定したものにおいて、
前記ケースの内部にその底面から起立して開閉機構部のフレームを左右から挟み込む片持ち梁状の支持アームを設け、該支持アームの間に開閉機構部を挿入した仮組立状態で、支持アームとケースの側壁との間の隙間に楔状のスペーサ部材を圧入して開閉機構部をケース内の定位置に挟持固定する（請求項１）ものとし、具体的には次記のような態様で構成する。
【０００９】
(1) 前記支持アームの先端にフック部を形成するとともに、該フック部に対向して開閉機構部のフレーム外壁面に係合突起を設け、組立状態で前記係合突起を支持アームのフック部に係止させるようにする（請求項２）。
(2) 前記のスペーサ部材に、組立位置で開閉機構部に搭載した温度補償バイメタル組立ユニットのホルダ部を側方から押さえて定位置に保持する撓み性のある片持ち梁部を設け、組立状態で前記ホルダ部を安定支持させるようにする（請求項３）。
【００１０】
(3) さらに、温度補償バイメタル組立ユニットについては、そのホルダ部に二股状の圧入クリップ部を設け、該クリップ部を開閉機構部のフレームに圧入して温度補償バイメタル組立ユニットを搭載支持するようにする（請求項４）。
上記の構成により、ねじを使わずに開閉機構部，および温度補償バイメタル組立ユニットを定位置に固定することかでき、これにより組立性の改善と併せて、ネジが占有するケース内のデッドスペースが無くなって回路しゃ断器の小型，コンパクト化が図れる。
【００１１】
【発明の実施の形態】
以下、本発明の実施の形態を図１〜図４に示す実施例に基づいて説明する。なお、実施例の図中で図５〜図８に対応する部材には同じ符号を付してその詳細な説明は省略する。
すなわち、図示実施例においては、開閉機構部４を組み込む中間ケース１ｂにはその底面から起立して開閉機構部４のフレーム４ａを左右から組み込み位置に挟持する一対の支持アーム１ｂ-1が一体成形されており、さらに前記支持アーム１ｂ-1と中間ケース１ｂの左右側壁との間の隙間に、図２(a),(b) で示す楔状のスペーサ１１を上方から圧入して開閉機構部４をケース内の定位置に固定するようにしている。なお、左右の支持アーム１ｂ-1の相互間隔はフレーム４ａの横幅に合わせて設定されている。
【００１２】
また、開閉機構部４のフレーム４ａに搭載支持する温度補償バイメタル組立ユニット８については、そのユニットホルダ８ｃに図４で示すような二股状のクリップ部８ｃ-1を設けておき、このクリップ部８ｃ-1をフレーム４ａの側壁上縁に形成した凹溝に差し込んで定位置に装着固定するようにしている。
すなわち、中間ケース１ｂに開閉機構部４を組み込む組立工程で、フレーム４ａをケース内に直立する左右の支持アーム１ｂ-1の間に挿入し、この状態で支持アーム１ｂ-1と中間ケース１ｂの側壁その間の隙間に上方からスペーサ１１を圧入すると、多少の撓み性を有する支持アーム１ｂ-1がスペーサ１１に押されてフレーム４ａを左右から押圧し、これにより開閉機構部４がケース内の定位置にしっかりと挟持固定される。
【００１３】
また、開閉機構部４を定位置から動かないようにより一層確実に固定支持するために、図示実施例では図４で明示するようにフレーム４ａの側壁外面には係合突起４ａ-1をプレス成形するとともに、該係合突起４ａ-1に対応して支持アーム１ｂ-1の先端にはＬ形のフック部１ｂ-2を形成しており、開閉機構部４のフレーム４ａを中間ケース１ｂの支持アーム間に挿入すると、係合突起４ａ-1が支持アーム１ｂ-1のフック部１ｂ-2に係合する。
【００１４】
一方、開閉機構部４のフレーム４ａに搭載する温度補償バイメタル組立ユニット８については、図４で示すようにユニットホルダ８ｃから下方に突き出した二股状のクリップ部８ｃ-1を一体成形により設けておき、該ユニット８を組付ける際にクリップ部８ｃ-1を図示のようにフレーム４ａの上縁に形成した凹溝に嵌め込んで定位置に固定する。なお、フレーム４ａの上縁に凹溝を設けることなく、直線フレーム４ａの上縁にクリップ部８ｃ-1 a差し込むことも可能であるが、フレーム4aの上縁に凹溝を設けることにより、ユニットホルダ８ｃの位置決めが確実に行えるようになる。
【００１５】
また、開閉機構部４を中間ケース１ｂに装着した組立状態で温度補償バイメタル組立ユニット８をより一層確実に支持するために、図示実施例では中間ケース１ｂに圧入するスペーサ１１のうち、温度補償バイメタル組立ユニット側のスペーサ（図１の右側スペーサ）の上半部に、図２で示すように肉厚を薄くして撓み性を持たせた片持ち梁部１１ａを形成し、スペーサ１１を圧入した組立状態で片持ち梁部１１ａの先端を温度補償バイメタル組立ユニット８のユニットホルダ８ｃの側面に押しつけて保持する。これにより、引外し動作時に温度補償バイメタル８ａに加わる反力に押されてユニットホルダ８ｃが側方に傾いたりするのを防止できる。
【００１６】
【発明の効果】
以上述べたように、本発明の構成によれば、回路しゃ断器のケース内部にその底面から起立して開閉機構部のフレームを左右から挟み込む片持ち梁状の支持アームを設けた上で、該支持アームの間に開閉機構部を挿入した仮組立状態で、支持アームとケースの側壁との間の隙間に楔状のスペーサ部材を圧入して開閉機構部をケース内の定位置に挟持固定するようにし、さらに温度補償バイメタル組立ユニットのホルダ部に二股状の圧入クリップ部を設け、該クリップ部を開閉機構部のフレームに圧入して温度補償バイメタル組立ユニットを搭載支持したことにより、ねじを使わずに開閉機構部，および温度補償バイメタル組立ユニットをそれぞれ定位置に確実に固定することができ、これにより組立性の改善と併せて、ネジが占有するケース内のデッドスペースを無くして回路しゃ断器の小型，コンパクト化が図れる。
【図面の簡単な説明】
【図１】本発明の実施例による回路しゃ断器の開閉機構部，および温度補償バイメタル組立ユニットの組立構造を表す図
【図２】図１におけるスペーサの構造図であり、(a),(b) はそれぞれ側面図，および正面図
【図３】図１における開閉機構部の外形図であり、(a),(b) はそれぞれ正面図，および側面図
【図４】図１における開閉機構部，温度補償バイメタル組立ユニットの装着手順を説明する要部の斜視図
【図５】本発明の実施対象となる回路しゃ断器の構成図であり、(a),(b) はそれぞれ平面図，および側面図
【図６】図５の内部機構を表す平面図
【図７】図５における開閉機構部のフレームを操作ハンドル，歯車機構とともに表した外形斜視図
【図８】従来の回路しゃ断器における開閉機構部，および温度補償バイメタル組立ユニットの組立構造を表す図
【符号の説明】
１    ケース
１ｂ  中間ケース
１ｂ-1  支持アーム
１ｂ-2  フック部
２    主回路接点しゃ断部
３    操作ハンドル
４    開閉機構部
４ａ  フレーム
４ａ-1  係合突起
４ｂ  開閉レバー
４ｃ  ラッチ受け
６    過負荷電流引外し装置
８    温度補償バイメタル組立ユニット
８ａ  温度補償バイメタル
８ｃ  ユニットホルダ
８ｃ-1  二股状クリップ部
１１    スペーサ
１１ａ  片持ち梁部
【図１】
0004126865.tif 000002
【図２】
0004126865.tif 000003
【図３】
0004126865.tif 000004
【図４】
0004126865.tif 000005
【図５】
0004126865.tif 000006
【図６】
0004126865.tif 000007
【図７】
0004126865.tif 000008
【図８】
0004126865.tif 000009